(57)【要約】      （修正有）【課題】墓石への装着が容易であり、耐久性、耐候性、防水性の他に遮光性および断熱性を備え、日光による劣化の防止およびカバー内の温度上昇を防止でき、しかも風、雨および雪による風化も、また、埃や鳥糞からの汚れも防止できる墓石用保護カバーを提供する。【解決手段】拝石を被覆する拝石カバーと、台石を被覆する台石カバーとで構成され、拝石カバーの、拝石に表示された家名等の表示部分に相当する箇所には窓が形成されている。拝石カバーと台石カバーには、装着後に両者を結合する連結手段が設けられている。【選択図】図１
0003117273.tif 000002
【実用新案登録請求の範囲】
【請求項１】
拝石を被覆する拝石カバーと、台石を被覆する台石カバーとより成り、拝石カバーは、シートで拝石に合致して被覆できる下端面開放の箱形に形成され、拝石に表示された家名等の表示部分に相当する筒所には、透明又は半透明のシートで形成された窓が形成され、
台石カバーは、シートで台石に合致して被覆できる下端面開放の箱形に形成され、上端面には、その直上に位置する石の外径に略一致する径の開口部が形成されていることを特徴とする墓石用保護カバー。
【請求項２】
前記拝石カバーおよび台石カバーを形成するシートは、耐久性、耐候性、断熱性、遮光性および防水性を備えることを特徴とする請求項１記載の墓石用保護カバー。
【請求項３】
拝石カバーと台石カバーおよび／または台石カバーと台石カバーとが上下に隣接する部分には、互いのカバーを結合する連結手段が設けられていることを特徴とする請求項１または２記載の墓石用保護カバー。
【請求項４】
前記連結手段は、ファスナー、面ファスナー、または粘着テープである請求項３記載の墓石用保護カバー。
【考案の詳細な説明】
【技術分野】
【０００１】
この考案は、墓石を風、雨および雪や汚れから保護し、風化を防止する墓石用保護カバーに関する。
【背景技術】
【０００２】
墓地等に設置される墓石は、通常、屋外の大気に露出して設けられ、一旦設置されると半永久的に使用が継続される。従って、その間、長年にわたって風、雨および雪に晒されることになり、風化による劣化が進行し破壊に発展する。また、埃や鳥の糞等による汚れもひどくなる。そのため表面のツヤや輝きの消失も進行する。そこで、従来、このような墓石の風化等による破壊を防止し、墓石を保護する墓石用カバーとして、透明又は半透明の合成樹脂からなる竿石カバー部と台石カバー部とが一体に形成された墓石用カバーが提供されている（例えば、特許文献１参照）。
【特許文献１】実用新案登録第３０３３９３８号
【考案の開示】
【考案が解決しようとする課題】
【０００３】
前記従来の墓石用カバーは、墓石の風化等による破壊を防止し、墓石を保護できるもので好ましいものである。しかしながら、前記従来の墓石用カバーは、竿石カバー部と台石カバー部とが一体に形成されているので、墓石への装着性が悪いという課題、透明又は半透明の合成樹脂で形成されているので、日光（太陽光）を遮断することができず、日光に晒されることによる劣化を防止できない課題および日光によりカバー内の温度が上昇し、高温により墓石が劣化する課題がある。特に、透明又は半透明の合成樹脂で、竿石カバー部と台石カバー部とを一体に形成してあるので台石カバー部に通気孔を設けても、竿石カバー部内の温度を下げるのには効果が少ない。
この考案は、このような課題を解決せんと提案されたものであり、その目的は、墓石への装着が容易であり、遮光性および断熱性を備え、日光による劣化の防止およびカバー内の温度上昇が防止でき、しかも風、雨および雪による風化も、また、埃や鳥の糞等からの汚れも防止できる墓石保護カバーの提供にある。
【課題を解決するための手段】
【０００４】
前記課題を解決するため、この考案の墓石用保護カバーは、拝石を被覆する拝石カバーと、台石を被覆する台石カバーとより成り、拝石カバーは、シートで拝石に合致して被覆できる下端面開放の箱形に形成され、拝石に表示された家名等の表示部分に相当する筒所には、透明又は半透明のシートで形成された窓が形成され、
台石カバーは、シートで台石に合致して被覆できる下端面開放の箱形に形成され、上端面には、その直上に位置する石の外径に略一致する径の開口部が形成されていることを特徴とする。
【０００５】
従って、台石カバーは、開放された下端部より拝石から台石に被せることができ、拝石カバーは、開放された下端部より拝石に被せることができ、これにより拝石および台石が風、雨および雪に晒されるのが防止でき、埃や鳥糞による汚れを防止できる。また、拝石カバーと台石カバーは、それぞれ別体に形成されているので、拝石および台石に別々に装着することができ、装着が容易となる。また、拝石カバーには、拝石に表示された家名等の表示部分に相当する箇所に、透明又は半透明のシートで窓が形成されているので、拝石の表示を読み取ることができるし、墓石の確認もでき、例えカバーしたままでも拝むのに大きな違和感は生じない。
なお、この考案で「その直上に位置する石」とは、台石上に拝石が設置されている場合は、拝石を指し、台石が複数、例えば中台石上に拝石が設置され、その上台石上に拝石が設置されている場合は、上台石からは拝石を指し、中台石からは上台石を指す。
【０００６】
また、この考案の拝石カバーおよび台石カバーを形成するシートは、耐久性、耐候性、断熱性、遮光性および防水性を備えることが、種々の風化および劣化要因より長年にわたって保護することができるので好ましい。
また、この考案の拝石カバーと台石カバーおよび／または台石カバーと台石カバーとが上下に隣接する部分には、互いのカバーを結合する連結手段が設けられていると、互いのカバーが離間したり、風等の外的要因により墓石より取り外れることが防止できるので好ましい。
前記連結手段の好ましいものとして、ファスナー、面ファスナーおよび粘着テープを例示することができる。
【考案の効果】
【０００７】
この発明の墓石用保護カバーによれば、次のような効果を奏する。
（１）拝石カバーは拝石に被せ、台石カバーは台石に被せ、これらの墓石を保護し、墓石が風、雨および雪に晒されるのを防止でき、埃や鳥糞による汚れも防止できる。従って、風、雨および雪等の風化による劣化の進行を防止して墓を長持ちさせることができるし、ツヤや輝きが消失するのを止めて、ツヤや輝きを長期間にわたって維持することができる。
（２）拝石カバーと台石カバーは、それぞれ別体に形成されているので、拝石および台石に別々に装着することができ、墓石への装着が容易である。
（３）拝石カバーには、拝石表示された家名等の表示部分に相当する箇所に、透明又は半透明のシートで窓が形成されているので、拝石の表示を読み取ることができるし、墓石の確認もでき、墓参りでは通常カバーは取り外すが、急ぎで取り外さず例えカバーしたままでも、拝むのに差し支えず大きな違和感も生じない。
【０００８】
（４）拝石カバーおよび台石カバーを形成するシートは、耐久性、耐候性、断熱性、遮光性および防水性を備えるので、種々の風化および劣化要因より長年にわたって保護することができる。
（５）装着を容易とするため拝石カバーと台石カバーとを別体で形成していても、墓石に被せた後は、互いのカバーを結合する連結手段を備えるので、互いのカバーが離間したり、互いのカバーの境目から雨や雪が吹き込むこともないし、風で吹き飛ばされることもない。
【考案を実施するための最良の形態】
【０００９】
この考案の墓石用保護カバーの最良の形態は、拝石を被覆する拝石カバーと、台石を被覆する台石カバーとより成り、拝石カバーは、シートで拝石に合致して被覆できる下端面開放の箱形に形成され、拝石に表示された家名等の表示部分に相当する筒所には、透明又は半透明のシートで形成された窓が形成され、
台石カバーは、シートで台石に合致して被覆できる下端面開放の箱形に形成され、上端面には、その直上に位置する石の外径に略一致する径の開口部が形成されている。
従って、台石カバーは、開放された下端部より拝石から台石に被せることができ、拝石カバーは、開放された下端部より拝石に被せることができ、これにより拝石および台石が風、雨および雪に晒されるのが防止でき、埃や鳥糞による汚れを防止できる。
【００１０】
以下、この考案をより詳細に説明するために、図面に示す実施の形態についてこれを説明する。図１はこの考案の実施の形態を示す分解斜視図、図２は墓石用保護カバーを墓石に装着する工程を、工程順（ａ）（ｂ）（ｃ）に示す斜視図、図３は墓石用保護カバーを墓石に装着した状態を示す斜視図である。
【００１１】
本例は、図２（ａ）に示すように台石１３が中台石１５と上台石１４で構成され、上台石１４の上に拝石１２が設置された和型の墓石１１を示し、保護カバー１もこの和型の墓石１１に使用する場合を示している．
この墓石用保護カバー１は、拝石１２に被覆する拝石カバー２と、上台石１４に被覆する上台石カバー４と、中台石１５に被覆する中台石カバー５とで構成されている。
拝石カバー２は、シートで拝石１２に合致して被覆できる下端面開放２ａの箱形に形成されており、拝石１２に下端面開放２ａより合致して被せることができるようになっている（図２（ｃ）参照）。拝石カバー２が拝石１２より径が大きくゆとりをもって被覆できる構成だと、拝石１２に被せるには容易となるが、雨や雪が吹き込んだり、風等により飛ばされて外れてしまうおそれがあるので、なるべく拝石１２にぴったりと合致（密接）して被せられる構成が好ましい。また、拝石カバー２には、拝石１２に表示された家名等の表示部分１６に相当する正面箇所に、透明又は半透明のシートで形成した窓３が形成されている。これにより拝石１２の表示を読み取ることができるし、墓石１１の確認もできる。
本例では窓３は、正面箇所に設けた場合を示したが、表示部分が拝石１２の他の側面にも存在する場合は、必要に応じ選択的にその表示部分に相当する箇所に窓を設けるようにしてもよい。窓の形状は、この実施の形態に制限されるのではなく、表示部分に対応し適宜の形状を選択できる。
【００１２】
上台石カバー４は、シートで上台石１４に合致して被覆できる下端面開放４ａの箱形に形成され、上端面には、その直上に位置する拝石１２の外径に略一致する開口部４ｂが形成されており、開放４ａされたか端部より拝石１２に被せ、上端面の開口部４ｂより拝石１２を通過させ、上台石１４に被せることができるようになっている（図２（ｂ）参照）。この上台石カバー４も上台石１４より径が大きくゆとりをもって被覆できる構成だと、上台石１４に被せるには容易となるが、雨や雪が吹き込んだり、風等により飛ばされて外れてしまうおそれがあるので、なるべく上台石１４にぴったりと合致（密接）して被せられる構成が好ましい。また、上台石カバー４の上端面開口部４ｂの周縁に立ち上がり壁４ｃを形成すると、その直上に位置する拝石カバー２の下端を、この立ち上がり壁４ｃにオーバーラップして装着することができ、これにより雨や雪の吹き込みが防止できるし、風等により飛ばされるのが防止できるので好ましい。
【００１３】
中台石カバー５は、シートで中台石１５に合致して被覆できる下端面開放５ａの箱形に形成され、上端面には、その直上に位置する上台石１４の外径に略一致する開口部５ｂが形成されており、開放５ａされた下端部より拝石１２に被せ、上端面の開口部５ｂより拝石１２および上台石１４を通過させ、中台石１５に被せることができるようになっている（図２（ａ）参照）。この中台石カバー５も中台石１５より径が大きくゆとりをもって被覆できる構成だと、中台石１５に被せるには容易となるが、雨や雪が吹き込んだり、風等により飛ばされて外れてしまうおそれがあるので、なるべく中台石１５にぴったりと合致（密接）して被せられる構成が好ましい。また、中台石１５の上端面開口部５ｂの周縁に立ち上がり壁５ｃを形成すると、その直上に位置する上台石カバー４の下端を、この立上がり壁５ｃにオーバーラップして装着することができ、これにより雨や雪の吹き込みが防止できるし、風等により飛ばされるのが防止できるので好ましい。
【００１４】
前記拝石カバー２、上台石カバー４および中台石カバー５を形成するシートは、耐久性、耐候性、断熱性、遮光性および防水性を備えるものが好ましい。墓石は一旦設置されると半永久的に使用される。従って、墓石に被せ墓石を保護する墓石用保護カバー１も永年の使用に耐えて墓石を保護できるものが好ましい。また、墓石は、風、雨、雪、日光および熱等により風化および劣化される。従って、墓石に被せて保護するカバー１は、これらに対し強いシートがよく、耐候性、断熱性、遮光性および防水性を備えるものが好ましい。このようなシートとして商品名バリアス（○○株式会社製）を例示することができる。
なお、この墓石用保護カバー１は、各々の拝石カバー２、上台石カバー４および中台石カバー５の適所、例えば側面に所有者の表示６をしてもよい。これによりカバー２、４および５の所有者が確認できるので、多数の墓が集中する墓場であっても、混同することなく判別できて好ましい。
【００１５】
次に、この墓石用保護カバー１の使用方法を図２について説明する。まず、図２（ａ）から（ｂ）に示すように中台石カバー５を、開放５ａされた下端部より拝石１２に被せ、上端面の開口部５ｂより拝石１２および上台石１４を通過させ、中台石１５に被せる。次に、図２（ｂ）から（ｃ）に示すように上台石カバー４を、開放４ａされた下端部より拝石１２に被せ、上端面の開口部４ｂより拝石１２を通過させ、上台石１４に被せる。この時、上台石カバー４の下端（裾部）を、中台石カバー５の立上がり壁５ｃに被せオーバーラップさせる。最後に、図２（ｃ）から図３に示すように拝石カバー２を、開放３ａされた下端部より拝石１２に被せる。この時、拝石カバー２の下端（裾部）を、上台石カバー４の立上がり壁４ｃに被せオーバーラップさせる。図３はこのようにして墓石１１（拝石１２，上台石１４、中台石１５）に全てのカバー２、４および５が装着された状態を示している。これにより墓石１１を保護し、墓石１１（拝石１２、上台石１４、中台石１５）が風、および雪に晒されるのを防止でき、埃や鳥糞により汚れも防止できる。
【００１６】
また、拝石カバー２と上台石カバー４、および上台石カバー４と中台石カバー５とが上下に隣接する部分には、互いのカバー２と４、４と５を結合する連結手段を設けると、被覆した後に互いのカバー２と４、４と５が離間したり、境目より雨や雪が吹き込んだり、カバー２、４、５が風で吹き飛ばされたり、することが防止できるので好ましい。好ましい連結手段として面ファスナー、ファスナーおよび粘着テープを例示することができる。次に、この連結手段を設けた場合の実施の形態を説明する。
【００１７】
図４は、この考案の他の実施の形態を示す分解斜視図であり、連結手段を設けた場合である。本例は、拝石カバー２の下端部内周面と上台石カバー４の立上がり壁４ｃの外周面、および上台石カバー４の下端部内周面と中台石カバー５の立上がり壁５ｃの外周面に、連結手段として一方に雄型７ａ、他方に雌型７ｂの面ファスナー７が設けられている場合であり、他は前記実施の形態と同様であるので、同一構成要素には同一符号を付して他の詳細な説明は省略する。
しかして、本例によれば墓石１１に被せた後は、拝石カバー２と上台石カバー４との間、および上台石カバー４と中台石カバー５との間を、面ファスナー７で結合して連結することができる。従って、拝石カバー２と上台石カバー４との境目、および上台石カバー４と中台石カバー５との境目から雨や雪が吹き込むことを防止する効果が向上するし、各カバー２、４および５で構成する墓石用保護カバー１が風で吹き飛ばされることが確実に防止できる。
【００１８】
図５は洋型の墓石に使用する保護カバーを示し、墓石に被覆した状態を斜視図で示している。本例は洋型の墓石に被覆できる形状とした点以外は、前記実施の形態と同様であるので、同一構成要素には同一符号を付して詳細な説明は省略する。
【００１９】
なお、前記実施の形態は、この考案を制限するものではなく、この考案は、要旨を逸脱しない範囲において種々の変形が許容される。
【産業上の利用可能性】
【００２０】
この発明の墓石用保護カバーは、石材で構成される墓石に附帯したり、類似するもの、例えば、石材で構成される墓誌、花台、地蔵仏、灯籠、ペット用墓等にも利用可能である。
いずれもカバーは保護する対象物に被覆できる形状とするものである。図６は墓誌１８に被せる保護カバー８を示し、墓誌１８に被せた状態で示しており、図７は墓石の前に設置された花台１９に被せる保護カバー９を示し、花台１９に被せた状態で示しており、図８は地蔵仏２０に被せる保護カバー１０を示し、地蔵仏２０に被せた状態で示しており、図９は灯籠２１に被せる保護カバー１６を示し、灯籠２１に被せた状態で示しており、図１０はペット用の墓２２に被せる保護カバー１７を示し、斜視図で示している。このペット用墓２２の保護カバー１７は、ハート型の窓１７ａが形成されている場合で示している。
【図面の簡単な説明】
【００２１】
【図１】この考案の実施の形態を示す分解斜視図である。
【図２】墓石用保護カバーを墓石に装着する工程を、工程順（ａ）（ｂ）（ｃ）に示す斜視図である。
【図３】墓石用保護カバーを墓石に装着した状態を示す斜視図である。
【図４】この考案の他の実施の形態を示す分解斜視図である。
【図５】洋型の墓石に使用する保護カバーを、洋型墓石に装着した状態で示す斜視図である。
【図６】墓誌の保護カバーを、墓誌に装着した状態で示す斜視図である。
【図７】花台の保護カバーを、花台に装着した状態で示す斜視図である。
【図８】灯籠の保護カバーを、灯籠に装着した状態で示す斜視図である。
【図９】ペット用墓の保護カバーを、ペット用墓に装着した状態で示す斜視図である。
【符号の説明】
【００２２】
１  墓石用保護カバー
２  拝石カバー
２ａ  下端面開放部
３  窓
４  上台石カバー
４ａ  下端面開放部
４ｂ  開口部
４ｃ  立上がり壁
５  中台石カバー
５ａ  下端面開放部
５ｂ  開口部
５ｃ  立上がり壁
７  面ファスナー
１１  墓石
１２  拝石
１３  台石
１４  上台石
１５  中台石
【図１】
0003117273.tif 000003
【図２】
0003117273.tif 000004
【図３】
0003117273.tif 000005
【図４】
0003117273.tif 000006
【図５】
0003117273.tif 000007
【図６】
0003117273.tif 000008
【図７】
0003117273.tif 000009
【図８】
0003117273.tif 000010
【図９】
0003117273.tif 000011